(57)【要約】要約書なし。【特許請求の範囲】
【請求項１】
非ＲＦＩＤタグ付き証拠品収集物をＲＦＩＤタグ付き証拠品に変換する方法であって、
（ａ）非ＲＦＩＤタグを含む証拠品を提供するステップと、
（ｂ）前記非ＲＦＩＤタグから情報を入手するステップと、
（ｃ）前記情報をプロセッサに入力するステップと、
（ｄ）前記情報をＲＦＩＤタグに書込むステップと、
（ｅ）  データベースレコードを前記ＲＦＩＤタグと関連付けるステップと、を含む方法。
【請求項２】
ステップ（ｂ）および（ｃ）が非ＲＦＩＤタグ上のバーコードを走査するステップを含む、請求項１に記載の方法。
【請求項３】
ステップ（ｂ）が非ＲＦＩＤタグから視覚によって情報を読取るステップを含む、請求項１に記載の方法。
【請求項４】
ステップ（ｃ）がキーボードを用いて情報をタイプするステップを含む、請求項１に記載の方法。
【請求項５】
ステップ（ｃ）がタッチパネルディスプレイを用いるステップを含む、請求項１に記載の方法。
【請求項６】
前記方法が、ステップ（ｄ）の前に前記ＲＦＩＤタグを前記証拠品の容器と関連付けるステップをさらに含む、請求項１に記載の方法。
【請求項７】
前記方法が、前記ＲＦＩＤタグ、ラベルおよび証拠品の容器の主表面から選択される表面に情報を印刷するステップをさらに含む、請求項１に記載の方法。
【請求項８】
前記方法が、前記証拠品に関連する情報を前記データベースレコードに入力するステップをさらに含む、請求項に１に記載の方法。
【請求項９】
非ＲＦＩＤタグ付き証拠品収集物をＲＦＩＤタグ付き証拠品に変換する方法であって、
（ａ）非ＲＦＩＤタグを含む証拠品を提供するステップと、後に続く
（ｂ）前記非ＲＦＩＤタグから情報を入手するステップと、後に続く
（ｃ）前記情報をプロセッサに入力するステップであって、順不同で以下の
（ｉ）前記情報をＲＦＩＤタグに書込むステップと、
（ｉｉ）データベースレコードを前記ＲＦＩＤタグに関連付けるステップと、が続くステップと、を含む方法。
【請求項１０】
非ＲＦＩＤタグ付き証拠品収集物をＲＦＩＤタグ付き証拠品に変換する方法であって、
（ａ）非ＲＦＩＤタグを含む証拠品を提供するステップと、後に続く
（ｂ）前記非ＲＦＩＤタグから情報を入手するステップと、後に続く
（ｃ）前記情報をプロセッサに入力するステップであって、順不同で以下の
（ｉ）前記情報をＲＦＩＤタグに書込むステップと、
（ｉｉ）データベースレコードを前記ＲＦＩＤタグに関連付けるステップと、
（ｉｉｉ）前記証拠品に関連する情報を前記データベースレコードに入力するステップと、が続くステップと、を含む方法。
【請求項１１】
非ＲＦＩＤタグ付き証拠品収集物をＲＦＩＤタグ付き証拠品に変換する変換ステーションであって、
（ａ）証拠品に関連する情報を入力できる情報受信システムと、
（ｂ）ＲＦＩＤタグを受領しタグプログラミングゾーンに送るＲＦＩＤタグ供給機構と、
（ｃ）前記プログラミングゾーンに近接するアンテナを備え、前記タグプログラミングゾーンに置かれた前記ＲＦＩＤタグに前記情報を書込むためのＲＦＩＤライタと、を含む変換ステーション。
【請求項１２】
前記変換ステーションが、前記ＲＦＩＤタグ供給機構内に置かれたＲＦＩＤタグの供給をさらに含む、請求項１１に記載の変換ステーション。
【請求項１３】
前記変換ステーションが、プロセッサとデータベースとをさらに含み、前記プロセッサが前記ＲＦＩＤタグをデータベースレコードと関連付ける、請求項１２に記載の変換ステーション。
【請求項１４】
前記データベースレコードが、前記証拠品についての情報を含む、請求項１１に記載の変換ステーション。
【請求項１５】
証拠品を収集する方法であって、
（ａ）証拠品を入手するステップと、
（ｂ）前記証拠品を容器に入れるステップであって、前記容器が、それと関関連付けらけるＲＦＩＤタグを有するステップと、
（ｃ）前記ＲＦＩＤタグをプログミングして、事件識別子を含むようにするステップと、を含む方法。
【請求項１６】
前記ＲＦＩＤタグをまたプログラミングして、犯罪タイプを含むようにした、請求項１５に記載の方法。
【請求項１７】
前記ＲＦＩＤタグをまたプログラミングし、被害者の氏名、容疑者の氏名、前記証拠品が入手された場所、前記証拠品を収集した人物の氏名、調査をする機関の名前、情報の説明、違反の日付、および前記証拠品が収集された日付の群から選択される少なくとも１つのタイプの情報を含むようにした、請求項１５に記載の方法。
【請求項１８】
証拠品を収集する方法であって、
（ａ）証拠品を入手するステップと、
（ｂ）前記証拠品を容器に入れるステップであって、前記容器が、それと関関連付けらけるＲＦＩＤタグを有するステップと、
（ｃ）前記ＲＦＩＤタグをプログラミングし、事件識別番号、犯罪タイプ、被害者の氏名、容疑者の氏名、証拠品が入手された場所、証拠品を収集した人物の氏名、調査を行う機関の名前、情報の説明、違反の日付、および証拠品が収集された日付からなる群から選択されるタイプの情報を含むようにするステップと、
（ｄ）事件識別番号、犯罪タイプ、被害者の氏名、容疑者の氏名、証拠品が入手された場所、証拠品を収集した人物の氏名、調査を行う機関の名前、情報の説明、違反の日付、および証拠品が収集された日付からなる群から選択される情報を、前記ＲＦＩＤタグと関連するデータベースレコードに入力するステップと、を含む方法。
【請求項１９】
ＲＦＩＤタグを用いて証拠品にタグ付けする方法であって、
（ａ）それぞれがタグメモリに格納される独特のタグ識別子を有するＲＦＩＤタグを供給するステップと、
（ｂ）供給されたものからＲＦＩＤタグを選択するステップと、
（ｃ）前記タグ識別子を用いてデータベースレコードを前記選択されたＲＦＩＤタグと関連付けるステップと、を含む方法。
【請求項２０】
前記方法が、前記証拠品に関連するデータベースレコードに情報を入力するステップをさらに含む、請求項１９に記載の方法。
【請求項２１】
ＲＦＩＤタグを用いて証拠品にタグ付けする方法であって、
（ａ）それぞれがタグメモリに格納される独特のタグ識別子を有するＲＦＩＤタグを供給するステップと、
（ｂ）選択されたＲＦＩＤタグにＲＦＩＤリーダを用いて質問し、前記独特のタグ識別子を入手するステップと、
（ｃ）前記タグ識別子を用いてデータベースレコードを前記選択されたＲＦＩＤタグと関連付けるステップと、を含む方法。
【請求項２２】
前記方法が、前記証拠品に関連するデータベースレコードに情報を入力するステップをさらに含む、請求項２１に記載の方法。
【請求項２３】
ＲＦＩＤタグを用いて証拠品にタグ付けする方法であって、
（ａ）データベースの中で証拠品に関連するレコードの場所を発見するステップと、
（ｂ）そのレコードから一定の情報を選択するステップと、
（ｃ）前記選択された情報でＲＦＩＤタグをプログラミングするステップと、を含む方法。
【請求項２４】
前記方法が、（ｄ）データベースレコードをステップ（ｃ）でプログラミングされた前記ＲＦＩＤタグに関連付けるステップをさらに含む、請求項２３に記載の方法。
【請求項２５】
前記方法が、（ｅ）前記証拠品に関連する情報を（ｄ）の前記データベースレコードに入力するステップをさらに含む、請求項２４に記載の方法。
【請求項２６】
ＲＦＩＤタグを用いて証拠品をタグ付けする方法であって、一定の順序で以下に続く、
（ａ）証拠品を入手するステップと、次に
（ｂ）前記証拠品に関連する情報を前記証拠品に関連するＲＦＩＤタグに書込むステップと、次に
（ｃ）データベースレコードを前記ＲＦＩＤタグに関連付けるステップと、を含む方法。
【請求項２７】
証拠品が保管される空調制御環境のためのＲＦＩＤシステムであって、
（ａ）それそれがＲＦＩＤタグと関連する証拠品と、
（ｂ）実質的に同時に１を超えるＲＦＩＤタグに書込むように適合させたＲＦＩＤライタと、
（ｃ）前記環境を監視する空調監視システムと、を含み、
前記空調監視システムが環境に所定の空調状態を検知すると、前記ＲＦＩＤライタがその状態の指標でその環境で１を超えるＲＦＩＤタグにプログラミングするＲＦＩＤシステム。
【請求項２８】
前記空調監視システムが前記環境の温度を監視する、請求項２７に記載のＲＦＩＤシステム。
【請求項２９】
前記空調監視システムが前記環境の湿度を監視する、請求項２７に記載のＲＦＩＤシステム。
【請求項３０】
前記システムがデータベースをさらに含み、前記所定の空調状態の指標がまた前記データベースに格納されている、請求項２７に記載のＲＦＩＤシステム。
【請求項３１】
前記ＲＦＩＤライタをまた、ユーザの要求があった場合、環境状態の指標を複数のＲＦＩＤタグに実質的に同時にプログラミングするように適合させた、請求項２７に記載のＲＦＩＤシステム。
【請求項３２】
前記ＲＦＩＤライタをまた、所定の時刻または時間間隔で、環境状態の指標を複数のＲＦＩＤタグに実質的に同時にプログラミングするように適合させた、請求項２７に記載のＲＦＩＤシステム。
【請求項３３】
空調制御環境を監視する方法であって、
（ａ）ＲＦＩＤタグを少なくとも１つの物品と関連付けるステップと、
（ｂ）前記環境にＲＦＩＤライタを提供するステップであって、前記ＲＦＩＤライタが、１を超えるＲＦＩＤタグに実質的に同時に書込むように配置されるステップと、
（ｃ）前記環境の空調を監視し、前記環境に所定の空調状態が存在するかどうかを決定するステップと、
（ｄ）前記所定の空調状態が存在するときには、情報を１を超えるＲＦＩＤタグに書込むステップと、を含む方法。
【請求項３４】
前記物品が証拠品である、請求項３３に記載の方法。
【請求項３５】
ステップ（ｃ）が前記環境の温度を監視するステップを含む、請求項３４に記載の方法。
【請求項３６】
ステップ（ｃ）が前記環境の湿度を監視するステップを含む、請求項３５に記載の方法。
【請求項３７】
携帯式ＲＦＩＤ装置を用いる方法であって、
（ａ）それぞれがＲＦＩＤタグを有する証拠品または証拠品の組を記述した情報を、ＲＦＩＤの質問以外の方法で前記装置に入力するステップと、
（ｂ）複数の証拠品に関連する複数のＲＦＩＤタグを走査し、前記一定の証拠品が存在するかどうかを決定するステップと、を含む方法。
【請求項３８】
前記方法が、（ｃ）前記一定の証拠品に関連するＲＦＩＤタグが質問されたとき時にユーザに示すステップをさらに含む、請求項３７に記載の方法。
【請求項３９】
ステップ（ａ）で入力された情報が、ステップ（ｂ）のＲＦＩＤタグのメモリに収納され、ステップ（ｂ）の前記ＲＦＩＤタグから利用可能である、請求項３７に記載の方法。
【請求項４０】
携帯式ＲＦＩＤ装置を用いる方法であって、
（ａ）命令された一組の証拠品を記述するアルゴリズムを前記装置に入力するステップと、
（ｂ）ＲＦＩＤタグを有する複数の証拠品に質問し、それらのタグから情報を入手するステップと、
（ｃ）前記ＲＦＩＤタグから得た情報を用いて入手した物品の記述を、前記アルゴリズムと比較し、走査された物品がアルゴリズムの命令にあるかどうかを決定するステップと、を含む方法。
【請求項４１】
前記方法が、（ｄ）前記アルゴリズムの命令にない任意の証拠品をユーザに示すステップをさらに含む、請求項４０に記載の方法。
【請求項４２】
前記アルゴリズムの命令が一連の命令された事件識別子である、請求項４０に記載の方法。
【請求項４３】
前記アルゴリズムの命令が年代順である、請求項４０に記載の方法。
【請求項４４】
携帯式ＲＦＩＤ装置を用いて、ＲＦＩＤタグを備えた証拠品を場所と関連付ける方法であって、
（ａ）前記証拠品と関連する前記ＲＦＩＤタグに質問するステップと、
（ｂ）前記装置に情報を入力して前記場所を記述するステップと、
（ｃ）データベースで前記証拠品を前記場所と関連付けるステップとを含む方法。
【請求項４５】
前記方法が、（ｄ）前記証拠品と前記場所との関連を確認し、ユーザに示すステップをさらに含む、請求項４４に記載の方法。
【請求項４６】
前記場所が別個のＲＦＩＤタグを有し、ステップ（ｂ）が前記場所と関連する前記ＲＦＩＤタグを走査するステップを含む、請求項４４に記載の方法。
【請求項４７】
前記場所が犯罪現場である、請求項４４に記載の方法。
【請求項４８】
前記場所が証拠品保管室の一部である、請求項４４に記載の方法。
【請求項４９】
携帯式ＲＦＩＤ装置を用いて、ＲＦＩＤタグを備えたある一定の証拠品を、それぞれがまたＲＦＩＤタグを備えた証拠品のグループと関連付ける方法であって、
（ａ）前記一定の証拠品に関連する前記ＲＦＩＤタグに質問するステップと、
（ｂ）前記グループ内の少なくとも１つの追加証拠品の前記ＲＦＩＤタグに質問するステップと、
（ｃ）前記一定の証拠品が前記証拠品グループと関連しているかどうかを決定するステップと、を含む方法。
【請求項５０】
前記方法がさらに、（ｄ）ステップ（ｃ）でなされた決定をユーザに示すステップを含む、請求項４９に記載の方法。
【請求項５１】
それと関連するＲＦＩＤタグを有するある特定の証拠品を、同じくそれと関連するＲＦＩＤタグを備えた証拠品のグループの中から識別する方法であって、
（ａ）前記特定の証拠品を識別する情報をＲＦＩＤリーダに提供するステップと、
（ｂ）証拠品の前記グループに質問するステップと、
（ｃ）前記ＲＦＩＤリーダが前記特定の証拠品と関連する前記ＲＦＩＤタグに質問すると、信号を送るステップと、を含む方法。
【請求項５２】
ステップ（ａ）で提供される情報が、前記証拠品が関連する事件を識別する情報であり、ステップ（ｃ）が、前記ＲＦＩＤリーダが前記事件のある特定の証拠品と関連するＲＦＩＤタグに質問すると、信号を送るステップを含む、請求項５１に記載の方法。
【請求項５３】
ステップ（ａ）で提供される前記情報が日付を示す情報である、請求項５１に記載の方法。
【請求項５４】
ステップ（ａ）で提供される前記情報がある特定の人物を示す、請求項５１に記載の方法。
【請求項５５】
それぞれがそれと関連するＲＦＩＤタグを備えた証拠品のグループの場所を発見する方法であって、
（ａ）前記グループ内の前記各証拠品の識別情報をＲＦＩＤリーダに提供するステップと、
（ｂ）前記グループ内の前記証拠品を含むと考えられる区域の物品に質問するステップと、
（ｃ）前記ＲＦＩＤリーダが前記グループ内の証拠品と関連する前記ＲＦＩＤタグに質問すると、それを示すステップと、
（ｄ）前記ＲＦＩＤリーダにより質問された前記グループ内のＲＦＩＤタグ付き証拠品の数を示すステップと、を含む方法。
【請求項５６】
前記グループ内の前記証拠品が全て単一の事件に関連する、請求項５５に記載の方法。
【請求項５７】
前記ＲＦＩＤリーダが、前記グループ内で質問されなかった証拠品がどれほどの数なのかを示す、請求項５５に記載の方法。
【請求項５８】
携帯式ＲＦＩＤリーダを用いて、証拠品のグループの中から、ある特定の証拠品の場所をどこで発見すべきかを決定する方法であって、
（ａ）前記特定の証拠品を識別する情報を前記ＲＦＩＤリーダに入力するステップと、
（ｂ）前記リーダを前記証拠品のグループの上方で通過させるステップと、
（ｃ）前記証拠品のグループ中から、どこで前記特定の証拠品を発見すべきかを検知するステップと、
（ｄ）その場所をユーザに示すステップと、を含む方法。
【請求項５９】
ＲＦＩＤタグを備えた証拠品を探索する方法であって、
（ａ）データベースで、場所とその場所にあると思われる前記ＲＦＩＤタグ付き証拠品のリストを提供するステップと、
（ｂ）前記データベースにリストされた少なくとも１つの場所で前記ＲＦＩＤタグ付き証拠品に質問し、どの証拠品がその場所にあるかを決定するステップと、
（ｃ）その場所にあると決定された前記証拠品とその場所にあると思われる前記証拠品とを比較するステップと、を含む方法。
【請求項６０】
前記方法が、（ｄ）その場所にあると思われるがその場所にない任意の証拠品をユーザに通知するステップをさらに含む、請求項５９に記載の方法。
【請求項６１】
前記方法が、（ｄ）その場所にないと思われるがその場所にある任意の証拠品をユーザに通知するステップをさらに含む、請求項５９に記載の方法。
【請求項６２】
前記方法が、連続的に複数の場所で繰り返し実行される、請求項５９に記載の方法。
【請求項６３】
前記方法が、それぞれ１つの場所に置かれ、その場所の前記証拠品に質問するように適合された複数のアンテナと多重送信するステップを含む、請求項６２に記載の方法。
【請求項６４】
ＲＦＩＤタグ付き証拠品を追跡する方法であって、
（ａ）ＲＦＩＤライタをテスト装置と関連付けるステップと、
（ｂ）前記テスト装置を用いて前記証拠品をテストするステップと、
（ｃ）前記ＲＦＩＤタグ付き証拠品に情報を書込み、前記証拠品が前記テスト装置によりテストされたステップを示すステップと、を含む方法。
【請求項６５】
ステップ（ｃ）が、前記テストの日付および時刻を前記ＲＦＩＤタグに書込むステップを含む、請求項６４に記載の方法。
【請求項６６】
ステップ（ｃ）が、前記テストを実施する人物を記述した情報を前記ＲＦＩＤタグに書込むステップを含む、請求項６４に記載の方法。
【請求項６７】
ステップ（ｃ）が、前記テストの結果を記述した情報を前記ＲＦＩＤタグに書込むステップを含む、請求項６４に記載の方法。
【請求項６８】
前記方法が、（ｄ）前記テスト装置と関連のある人物を識別するステップと、（ｅ）その人物を記述した情報を前記ＲＦＩＤタグに書込むステップと、をさらに含む、請求項６８に記載の方法。
【請求項６９】
ステップ（ｄ）が、ある人物に関連するＲＦＩＤバッジに質問して、その人物を識別する情報を入手するステップを含む、請求項６８に記載の方法。
【請求項７０】
前記テスト装置が弾道学的特性をテストするためのものである、請求項６４に記載の方法。
【請求項７１】
前記テスト装置が生物学的サンプルをテストするためのものである、請求項６４に記載の方法。
【請求項７２】
前記証拠品が前記テスト装置によりテストされたことを示す情報がデータベースに提供される、請求項６４に記載の方法。
【請求項７３】
（ａ）証拠品の少なくとも１つの判定可能な特徴をテストするテスト装置と、
（ｂ）前記証拠品と関連するＲＦＩＤタグに情報をプログラミングするＲＦＩＤライタと、の組合せ装置。
【請求項７４】
前記組合せ装置が、テストされた前記証拠品に関連する情報を含むデータベースレコードを更新するために、プロセッサおよびデータベースをさらに含む、請求項７３に記載の組合せ装置。
【請求項７５】
前記テスト装置が弾道学的特性のテスト装置であり、さらにＲＦＩＤライタが、小火器に関連するＲＦＩＤタグに情報をプログラミングするように適合された、請求項７３に記載の組合せ装置。
【請求項７６】
前記装置がＤＮＡテスト装置である、請求項７３に記載の組合せ装置。
【請求項７７】
前記装置が薬物テスト装置である、請求項７３に記載の組合せ装置。
【請求項７８】
証拠品の保管の流れを記録するＲＦＩＤシステムであって、
（ａ）ＲＦＩＤタグと関連する証拠品と、
（ｂ）前記証拠品を保有する人物を記述する情報を受け取り、その情報を前記ＲＦＩＤタグに書込むＲＦＩＤライタと、を含むシステム。
【請求項７９】
前記システムが、前記証拠品が通過できるポータルと関連する少なくとも１つのＲＦＩＤリーダをさらに含み、それにより前記ＲＦＩＤリーダは、前記ＲＦＩＤタグに質問して前記証拠品を識別するように適合され、前記ＲＦＩＤライタが、前記ポータルの場所を識別する情報を前記ＲＦＩＤタグに書込むように適合された、請求項７８に記載のＲＦＩＤシステム。
【請求項８０】
ポータルに関連する前記ＲＦＩＤリーダが、ある人物に関連するＲＦＩＤタグに質問するように適合され、前記ＲＦＩＤライタが、前記人物を識別する情報を前記ＲＦＩＤタグに書込むように適合された、請求項７９に記載のＲＦＩＤシステム。
【請求項８１】
前記システムがデータベースをさらに含み、前記データベースが、どの証拠品がどの個人によって保有される可能性があるかを示す情報を含むと共に、権限のある人物のみが、入手する権限を与えられた証拠品を入手するのを許可するように適合された、請求項７８に記載のＲＦＩＤシステム。
【請求項８２】
証拠品を第１の場所と第２の場所との間で移動する方法であって、
（ａ）ＲＦＩＤタグ付き証拠品を収集するステップと、
（ｂ）前記ＲＦＩＤタグを読込み、収集した前記証拠品のリストを作成するステップと、
（ｃ）そのリストをデータベースに格納するステップと、を含む方法。
【請求項８３】
前記データベースが、携帯式データ記憶媒体に格納される、請求項８２に記載の方法。
【請求項８４】
前記方法が、前記収集した証拠品および前記携帯式データ記憶媒体を前記第１の場所から前記第２の場所へ移動するステップをさらに含む、請求項８３に記載の方法。
【請求項８５】
前記方法が、ＲＦＩＤリーダを用いて前記移動証拠品と関連する前記ＲＦＩＤタグを読込み、かつ前記移動証拠品を前記データベースの前記リストと比較するステップをさらに含む、請求項８４に記載の方法。
【請求項８６】
前記方法が、前記データベースをあるコンピュータから第２のコンピュータへ移動するステップをさらに含む、請求項８０に記載の方法。
【請求項８７】
前記移動がインターネットを媒体とする、請求項８６に記載の方法。
【請求項８８】
前記方法が、（ｄ）前記データベースを複写して、前記第１の場所が前記第２の場所に移動される前記証拠品に関する情報を保有できるようにするステップをさらに含む、請求項８２に記載の方法。
【発明の詳細な説明】
【技術分野】
【０００１】
本発明は、特に法執行時に用いる証拠品および所持品の追跡システムおよび方法に関する。
【背景技術】
【０００２】
警察、拘置所、刑務所および他の政府機関は通常、武器、衣類、貨幣、薬物および書類のような証拠品および所持品を、その後の取調べおよび法的手続きにおいて使用するために収集したり、あるいは単にある人物の拘留中に保有したりする。証拠品および所持品は、取調べや手続きで価値を保つためには、偶然または故意のいたずら、盗難、取替えまたは紛失から守られなければならない。例えば、もし決定的な証拠品が失われるか、または裁判で証人が、証拠品およびそれが収集された時と場所からそれが法的に認証された時と場所までの管理の流れについて自信を持って確認できなかったりすると、罪を犯した容疑者が保釈されることになるかもしれない。これは、いろいろ明白な理由から望ましいことではない。
【０００３】
現在の証拠品収集および保管はいろいろ異なった方法でなされている可能性があり、以下のものは一例である。警察官または捜査官がある場所で証拠品を収集し、次にそれをバッグまたは封筒に入れるだろう。当人は、そのバッグまたは封筒を密封した後、その上または用紙または他の関連する記録用紙に一定の情報を書き、後でその証拠品を明確に確認できるようにするだろう。その情報には、事件番号（もし分かるなら）、犯罪タイプ、被害者の氏名、容疑者の氏名、証拠品を収集した場所および他の確認のための情報を含むだろう。警察官または捜査官はまた、バッグ、封筒、用紙または記録用紙に署名するか、他の独特の印を付けて、当人が後で明確に証拠品を確認できるようにするだろう。例えば拘留前に容疑者から所持品を収集するときも、所持品を同様にバッグに入れ、タグ付けするだろう。
【０００４】
ひとたび証拠品および所持品が収集されると、それは、証拠品室またはファイル室のような主な保管場所に運ばれる。そこで証拠品の受入検査をすると、受け取った人物は、バッグまたは封筒の上に、もはや警察官がその証拠品を保有するのではなく、証拠品室が保有すると表示するだろう。これが管理の移転であり、関係者が証拠品の採用を求める場である多くの後の手続きで証明する必要のある管理の流れの一部または関連である。証拠品室内では、証拠品はファイル、封筒、箱または他の容器の中、または単に棚の上で保管されるだろう。その後証拠品をその置き場所から移すときはいつでも、移す人物が今その証拠品を保有することを示す新しい記入を、バッグ、封筒、用紙または記録文書にすることになる。裁判または他の手続きのために証拠品が必要とされるときには、その手続きで使用するため証拠品をもっていく資格のある人物へと検査して渡される。
【発明の開示】
【発明が解決しようとする課題】
【０００５】
これおよび他の同様の証拠品管理システムは多くの問題に悩まされている可能性があり、その大きな問題として、管理の流れを追跡するシステムが、正確に保有を記録しようとする意思と能力のある人物に大きく依存していることがある。証拠品室では、特に、例えばある証拠品（銃のような）が類似の外見をした物品の大きなグループと一緒に保管されている場所では、その証拠品の場所を発見することも難しい可能性がある。これらおよび他の困難を考慮すると、今まで用いられてきたよりも良い証拠品管理システムを提供することが望ましい。
【課題を解決するための手段】
【０００６】
本発明には、証拠品および所持品の入手、タグ付け、探索および他の取り扱い時におけるＲＦＩＤ技術の使用法に関連する幾つかの態様がある。
【発明を実施するための最良の形態】
【０００７】
本発明には、証拠品の保管、回収および追跡を長い間悩ませてきた問題に対する認識だけでなく、その分野に無線周波数識別（ｒａｄｉｏ  ｆｒｅｑｕｅｎｃｙ  ｉｄｅｎｔｉｆｉｃａｔｉｏｎ）すなわち“ＲＦＩＤ”技術をここに述べる方法で適用することも含まれる。本発明の適用、方法、システムおよび構成要素について記載する前に、ＲＦＩＤ技術の簡潔な概観を提供する。
【０００８】
Ｉ．ＲＦＩＤ技術
ＲＦＩＤタグは、図書館の書籍のような物品にタグ付けするためかなりの期間用いられてきた。ＲＦＩＤタグには通常、アンテナとアンテナに動作可能に接続された集積回路とが含まれる。適用例によっては電池搭載型ＲＦＩＤタグ（時にアクティブと呼ばれる）が好まれ、他の適用例では電池非搭載型（すなわちパッシブタグ）が好まれる。これらのタグは様々な特許および出版物で記述され、現在のところ、（タグ・アイティティエム（ＴＡＧ−ＩＴＴＭ）という商品名で）テキサス州ダラスのテキサス・インスツルメンツ（Ｔｅｘａｓ  Ｉｎｓｔｒｕｍｅｎｔｓ（Ｄａｌｌａｓ，Ｔｅｘａｓ））、（アイ・コードティエム（Ｉ−ＣＯＤＥＴＭ）という商品名で）オランダ、アインホーヴェンのフィリップス・セミコンダクターズ（Ｐｈｉｌｉｐｓ  Ｓｅｍｉｃｏｎｄｕｃｔｏｒｓ（Ｅｉｎｄｈｏｖｅｎ，Ｎｅｔｈｅｒｌａｎｄｓ））および（インテリタグティエム（ＩＮＴＥＬＬＩＴＡＧＴＭ）という商品名で）ワシントン州エヴェレットのインターメック・テクノロジーズ・コーポレーション（Ｉｎｔｅｒｍｅｃ  Ｔｅｃｈｎｏｌｏｇｉｅｓ  Ｃｏｒｐｏｒａｔｉｏｎ（Ｅｖｅｒｅｔｔ，Ｗａｓｈｉｎｇｔｏｎ））を始めとする会社によって販売されている。
【０００９】
ＲＦＩＤシステムの他の構成要素は、リーダまたは質問機である。ＲＦＩＤリーダは携帯式（手持ちでも可）でも据え付け式でもよく、それにはアンテナおよび関連するリーダ／ライタハードウエアとソフトウエア、電源、プロセッサ（通常データベースとメモリを含む）、ユーザインタフェース並びにここに記載する種類のアプリケーションを動かすソフトウエアとが含まれる。あるＲＦＩＤリーダが、コマンダ（Ｃｏｍｍａｎｄｅｒ）３２０という商品名でテキサス州ダラスのテキサス・インスツルメンツから販売されている。ＲＦＩＤリーダを作動させると、所定の周波数（１３．５６メガヘルツのような）で信号を送信し、次にその信号がリーダの質問範囲内のタグを作動させる。ＲＦＩＤタグはそれぞれが受信する信号を変調することによって応答し、リーダはタグから戻ってきた変調された信号を受信する。これらの信号を通したデータのやり取りにより、ＲＦＩＤリーダはＲＦＩＤタグから情報を得ることが可能となる。上述したＲＦＩＤタグと送受信可能なＲＦＩＤリーダは、英国マンチェスターのアイディ・システムズ・インク（ＩＤ  Ｓｙｓｔｅｍｓ  Ｉｎｃ．（Ｍａｎｃｈｅｓｔｅｒ  Ｕ．Ｋ．））から（ハンドスプリング（ＨＡＮＤＳＰＲＩＮＧ）およびエム・アール・アール（ＭＲＲ（ｍｉｄ−ｒａｎｇｅ−ｒｅａｄｅｒ））という商品名で）、ドイツ、ハルベルグモースのバルテック・エイジー（ＢＡＬＴＥＣＨ  ＡＧ（Ｈａｌｌｂｅｒｇｍｏｏｓ，Ｇｅｒｍａｎｙ））から（アイディ・エンジン（ＩＤ−ＥＮＧＩＮＥ）という商品名で）、ドイツ、ハイルブルグ・ハルツハウゼンのファイグ・エレクトロニクス有限責任会社（Ｆｅｉｇ  Ｅｌｅｃｔｒｏｎｉｃｓ  ＧｍｂＨ（Ｗｅｉｌｂｕｒｇ−Ｗａｌｄｈａｕｓｅｎ，Ｇｅｒｍａｎｙ））から（オービッド・アイ・スキャン（ＯＢＩＤ  Ｉ−ＳＣＡＮ）という商品名で）入手できる。従来のほとんどのＲＦＩＤリーダにはまたプログラミングすなわち書込み能力が備わっており、したがって読込みと書込みの両方（質問とプログラミング）を単一の装置に組合わせている。２つの機能の片方または両方が必要とされるアプリケーションには、組合わせリーダ／ライタまたは別個のリーダ、ライタを用いてもよい。
【００１０】
ＲＦＩＤリーダの一部であるプロセッサまたはリーダを接続できるプロセッサもしくはデータベースには、質問されるＲＦＩＤタグをタグが貼付される物品に関連付ける情報を含んでもよい。したがって、もしＲＦＩＤタグが図書館の本に添付されると、リーダはそのタグからタグ識別番号を入手でき、それをリーダ自身のまたは他のデータベースにある同じ番号と照合し、ついで物品についての情報を決定できる。
【００１１】
本発明のある部分は、犯罪性証拠品用ＲＦＩＤ技術の特定の使用に関連する発明思想と同じ部分を形成するものであるが、読み手の利便のために以下に別個に記載する。また、証拠品に言及する場合、その言及は、容疑者が拘留されている期間のように、法執行機関が証拠としての目的ではなく保有する所持品を含むことがある。
【００１２】
ＩＩ．犯罪性証拠品および所持品のためのＲＦＩＤ
Ａ．変換  本発明の一態様には、既存の証拠品収集物をＲＦＩＤタグ付き証拠品収集物に変換することを含む。既存のタグ付けシステムには、印刷されたバーコードタグ、ステッカ、紙ラベルまたは証拠品に直接もしくは証拠品を保管する容器に貼付される同様のものを含むだろう。本発明のこの態様においては、既存のタグ付き証拠品をＲＦＩＤタグ付き証拠品に変換する変換ステーションと方法が提供される。このようなシステムの１つが、本発明の譲受人に譲渡されたガーバー（Ｇａｒｂｅｒ）らのＰＣＴ公開ＷＯ００／１０１２２に図書館資料の文脈で記述されている。
【００１３】
一実施形態においてこの方法には、非ＲＦＩＤタグを備えた証拠品を選択するステップと、そのタグから情報を入手する（例えば、もし情報がタグ上に単に印刷されているなら視覚により、またはもし情報がバーコードもしくは機械読取り式フォーマットで提供されているなら走査することにより）ステップと、情報をプロセッサに入力する（例えば、キーボードまたはタッチパネルディスプレイにより）ステップと、情報をＲＦＩＤタグに格納できるフォーマットに変換するステップと、情報をＲＦＩＤタグにプログラミングすなわち書込むステップと、そのＲＦＩＤタグに関連するデータベースの記録を作成または編集するステップと、を含む。したがって、既存の証拠品収集物を変換する変換ステーションには、入力サブシステム（キーボード、タッチパネル、バーコードスキャナ等のような）と、情報を受信し処理するプロセッサと、記録を作成、編集または削除するデータベースと、ＲＦＩＤライタと、タグを手に取る（おそらくこのようなタグを巻いたものから）ことができ、情報を書込めるようにタグをＲＦＩＤライタ用アンテナの近くに置くことができ、次に、ユーザが剥がして証拠品または容器に貼付できる位置へとそれを持っていくことができるＲＦＩＤタグ付けシステムとを含んでもよいし、または変換ステーションを上述のものに動作可能に接続してもよい。
【００１４】
変換ステーションとその方法、および本発明一般の他の有用な態様として以下のものを含むことができる。ＲＦＩＤタグを、容器が作られた時または後で、最終的にユーザか他の誰かによって封筒、バッグまたは他の容器に入れてもよい。このタイプの密閉可能で不正開封防止機能付きのバッグは、トッドマン（Ｔｏｄｍａｎ）の米国特許第５，６３５，９１７号に開示されている。したがって、変換ステーションによってプログラミングされる（または以下で述べるように他のユーザによって使用される）ＲＦＩＤタグが、証拠品を入れることができる容器とすでに関連付けられているようにすることもできる。他の選択的な特徴として、変換ステーションにプリンタを備え、ＲＦＩＤタグ、ＲＦＩＤタグを含むラベルまたは容器の任意の適切な表面に情報を印刷できることがある。この情報は、バーコード、英数字記号または他の印刷された印の形態をとることが可能で、例えばファイルにＲＦＩＤタグが備わっているときには有用であろう。情報をＲＦＩＤタグおよび証拠品と関連するデータベースレコードに入力することも有用であろうし、後でその情報を探索ないしは使用してもよい。
【００１５】
Ｂ．証拠品収集  本発明の他の態様には、ＲＦＩＤ技術を用いた証拠品の収集とタグ付けがある。法の執行官は証拠品を収集し、それをトッドマン（Ｔｏｄｍａｎ）の米国特許第５，６３５，９１７号に開示されているもののようなＲＦＩＤタグを備えた容器（密閉可能で不正開封防止機能付き容器でもよい）に入れてもよい。サンプルを以下に記述したが、タグをプログラミングして、１件以上の情報を含むようにしても、それらの情報をデータベースで提供してもよい。例えばもし、情報がデータベースで提供される場合には、タグに質問して十分な情報を得、対応するデータベース記入事項を識別し、それにより所望の情報を入手できるようにしてもよい。タグまたはデータベースに格納する情報には、以下に記載するタイプの情報を１件以上含むことができる。
（１）事件識別番号
（２）犯罪タイプ
（３）被害者の氏名
（４）容疑者の氏名
（５）証拠品を入手した場所
（６）証拠品を収集した人物の氏名
（７）調査を行う機関の名前
（８）所持品を所有する人物の氏名
（９）証拠品を所有していた人物の氏名
（１０）情報の説明
（１１）違反の日付
（１２）証拠品を収集した日付
（１３）所持品を所有者に返却または廃棄可能な日付
（１４）証拠品の状態（例えば、使用、不使用、廃棄予定）および／または
（１５）証拠品に関して得られた任意のテスト結果
【００１６】
このような方法でなされる証拠品収集により、ＲＦＩＤ技術を用いた一連の管理が開始される。
【００１７】
Ｃ．証拠品のタグ付け  証拠品は、以下の方法でタグ付けできる。タグ識別番号または英数字の続きのような、すでにメモリに記憶された独特の識別子を持ったタグを提供してもよい。ユーザはタグを入手し、それを証拠品に貼付し、次にデータベースに、特定のタグを証拠品に関連付ける記入事項を作成するか変更することができる。独特のタグ識別子により、同じ場所の２つのタグが同じタグ識別子を持つことが確実にないようにされる。タグ識別子は、例えば、ＲＦＩＤリーダでタグに質問するか、またはもし情報がタグに印刷されていれば、それを目で読むことによりタグから入手できる。次に、上に列挙した種類の情報をデータベースに入力するかタグに格納するか、またはその両方を行い、後でその情報を容易に使用できるようにしてもよい。このタグ付けシステムは、とりわけタグか証拠品のどちらかを識別する追加情報を持ったユーザがタグをプログラミングする必要がないので、有用であり、ユーザに利用可能なタグのメモリスペースを節約できる。
【００１８】
証拠品にタグ付けする他の方法として、特定の証拠品あるいはその分類に関連する情報の場所をデータベースで発見し、保管される追加証拠品にも適用可能な情報を選択し、その選択された情報をタグにプログラミング（書込み）することがある。例えば、ある事件の５０点目の証拠品では、その事件の１点以上の以前の証拠品に関連する電子記録の場所を発見し、５０点目の証拠品用のＲＦＩＤタグに提供すべき一定の情報をその記録から識別し、次に５０点目の証拠品に関連するＲＦＩＤタグにその情報を書込むことにより、タグ付けしてもよい。５０点目の証拠品には、容疑者の氏名、被害者の氏名、犯罪の日付および上に列挙したタイプの他の情報を始めとして、１点以上の以前の証拠品と共通した一定の情報を含んでもよい。追加情報もタグに書込み、その証拠品に特有の情報を提供してもよい。
【００１９】
Ｄ．証拠品の保管  血液のような証拠品には、時がたつにつれて劣化するものがあり、管理された条件下で保存しなければならない。本発明の他の態様として、このような証拠品にタグ付けし監視するＲＦＩＤタグの使用法がある。この点に関し、証拠品にはここに一般的に述べるようなＲＦＩＤタグを備え、冷蔵領域、乾燥領域、温暖領域等の空調制御された環境に置いてもよい。例えば、血液サンプルをバッグに入れ、そのバッグ（およびＲＦＩＤタグ）を温度が４．４℃（華氏４０度）に維持された冷蔵庫に保管してもよい。空調監視システム（温度計、湿度を測定する湿度計、光の存在を測定する光センサのような）が環境に備えられ、プロセッサと協調して、空調が一定の許容しえる範囲内および範囲外にある時に確認できる。
【００２０】
空調制御環境には、ＲＦＩＤタグと通信できる１つ以上のＲＦＩＤリーダとＲＦＩＤライタを備えてもよい。もし空調監視システムが、空調がある所定の条件から逸脱したと表示するならば、ＲＦＩＤライタ（あるいは組合せＲＦＩＤリーダ／ライタのライタ部分）は、その情報（変更不可にできる）と実質的に同時に、１を超えるＲＦＩＤタグにプログラミングできる。例えば、もし冷蔵庫の温度が０℃（華氏３２度）以下に降下するならば、ＲＦＩＤライタはＲＦＩＤタグにその状態を示すメッセージを書込むことができる。同様に、他の環境条件がある所定の限度から逸脱するならば（例えば、過度または不十分な温度、湿度あるいは光）、それらの状態をＲＦＩＤタグに表示することができる。もしその情報が、変更が非常に困難か不可能な方法でＲＦＩＤタグに格納される場合、もしその情報がなければ、そのことは後で法執行機関に役立つ可能性もあるし、逆にその情報があるならば、潜在的な被告人に役立つこともあろう。実際に環境状態をそれ自身で監視し、その状態の記録を提供する環境監視タグよりも、ＲＦＩＤタグはずっと安価だという付加的利益が、このシステムにはある。他の実施形態においては、ＲＦＩＤタグそれ自身に格納された情報の代わりにまたは追加的に、環境状態に関する情報を、特定の各ＲＦＩＤタグと互いに関連するデータベースレコードに格納できる。これには、長い期間にわたり一定の証拠品の環境状態を追跡できるという追加的利益があり得る。というのも、追加的個別情報をデータベースに格納するほうが、現在入手できるＲＦＩＤタグで利用可能である限られたメモリ格納するよりも簡単にでき得るからである。他の実施形態においては、ユーザは要求があった場合、ＲＦＩＤタグに情報をプログラミングしてもよいし、または所定の時刻または時間間隔で情報をＲＦＩＤタグにプログラミングするようにシステムを適合させてもよい。
【００２１】
Ｅ．証拠品の探索  現在の証拠品保管設備では、ユーザは、関心のある証拠品の場所を発見するのに、行き当たりばったりに保管された既存の証拠品を手で区分けする必要があるだろう。これは時間がかかるし、危険でさえあり、他の証拠品を紛失させるかもしれない。ＲＦＩＤ技術を用いれば、手持ちのＲＦＩＤリーダまたは保管場所の中に置かれたり設置されたり、そばに置かれた恒久的ＲＦＩＤリーダにより、ＲＦＩＤタグ付き証拠品をより能率的に探索できる。この点で、ガーバー（Ｇａｒｂｅｒ）らのＰＣＴ公開ＷＯ００／１０１２２およびＷＯ００／１０１４４、並びにゴフ（Ｇｏｆｆ）らのＷＯ００／１０１１２で開示されているタイプのリーダおよびリーダシステムは有用であろう。本探索システムでは、証拠品の目視による点検とバーコードタグ付き証拠品のバーコード走査が要求される見通し内点検の必要性が除かれる。またこのシステムでは、現在使用されている種類のタグが判読しずらかったり、剥がれたり、紛失したりすることによる問題を最小限にし、またタグメモリを選択的に上書きできるので、情報が更新されるたびに新しいタグを作成する必要性を除く。
【００２２】
証拠品を探索するために、所望の証拠品を記述した情報をＲＦＩＤ質問以外の方法でＲＦＩＤリーダに入力し、次にＲＦＩＤリーダを用いて有効範囲内のＲＦＩＤタグ付き物品に質問してもよい。例えば、ユーザは、ある種のユーザインタフェース（キーボード、タッチパネルディスプレイ等のような）またはコネクション（プロセッサおよびデータベースに接続するためのシリアルポートのような）を通じて事件識別番号をリーダに入力し、次にＲＦＩＤリーダでその有効範囲内の任意の証拠品に質問して、その事件に関連するＲＦＩＤタグ付き物品の場所を発見するようにしてもよい。あるいは、もし他の情報（上に列挙した種類の情報のような）が各ＲＦＩＤタグまたはデータベース記入事項に格納されているならば、その情報を含むＲＦＩＤタグを備えた証拠品の場所も発見することができる。ＲＦＩＤリーダに入力された記述に対応するＲＦＩＤタグが識別されてその場所を発見され、したがって対応する証拠品が発見される。例えば、もし処分日がＲＦＩＤタグに格納されているならば、ユーザは、探索日の前に処分日のある証拠品を全て探索することができる。次いで、このような証拠品を、任意の適切な保有ガイドラインに従って、証拠品保管区域から取り除いてもよいし、おそらく破棄してもよい。特定の証拠品（その事件のために収集された他の証拠品の間かまたは何か他の証拠品グループの間の）は、ＲＦＩＤタグと質問機を用いて場所を発見してもよい。その結果、例えば血痕のついた手袋を探索している人物は、その証拠品に関連する情報（物品番号４、警察官××××、または０１年１月１日以前の日付のような）をＲＦＩＤリーダに入力し、リーダが提供された情報に対応するＲＦＩＤタグ付き証拠品を探索できるようにする。ＲＦＩＤリーダが探索している情報の場所は、ＲＦＩＤタグそれ自身の中で、またはＲＦＩＤタグに関連するデータベースレコードの中で発見してもよい。ＲＦＩＤタグそれ自身に探索する情報を備える利点として、ＲＦＩＤリーダが、リーダのデータベースに依存したり、無線または他の接続手段でデータベースにアクセスできるようにする必要もなく、リアルタイムでＲＦＩＤタグ付き証拠品の場所を発見し示すようにできる点がある。
【００２３】
他の有用な探索システムとして、ある特定の事件の証拠品リストをリーダに呼び出し、次にそのリストから、探索を実施すべき１点以上の証拠品を選択することがある。特定の事件の証拠品リストは、ＲＦＩＤリーダのメモリから、またはＲＦＩＤリーダに接続されている（例えば、ケーブルまたは無線接続のどちらか）データベースのどちらから入手してもよい。ＲＦＩＤリーダのユーザインタフェースにより、ユーザはどの証拠品またはどの証拠品の分類を探索したいのかを、ユーザがハイライトしたり、照合したり、または別の方法で示すことができるようにしてもよく、次にリーダは、関心のある物品と関連する１つ以上のタグの場所を発見するまでＲＦＩＤタグに質問するだろう。
【００２４】
他の実施形態においては、命令された一組の証拠品を記述したアルゴリズムをＲＦＩＤリーダに入力でき、次に複数の証拠品に質問して、質問された証拠品がアルゴリズムの命令にあるかどうかを決定できる。適切なアルゴリズムの命令の例として、事件識別子に基づくもの、あるいは年代順のもの（逆年代順を含む）が可能だろう。
【００２５】
探索方法の他の特徴は、証拠品を場所と関連付けることである。証拠品と関連するＲＦＩＤタグに質問し、場所を記述する情報を提供し、次に両者をデータベースでお互いに関連付けるようにしてもよい。場所は、犯罪現場、部屋、または証拠品保管場所の一部とすることが可能であり、その場合には、別個のＲＦＩＤ場所タグに質問して場所を記述する情報を入手するようにしてもよい。
【００２６】
他の探索方法として、ある証拠品に関連するＲＦＩＤタグに質問し、さらに証拠品グループ内の少なくとも１件の追加証拠品に関連するＲＦＩＤタグに質問して、この証拠品がこの証拠品グループに関連するかどうかを決定する方法がある。これは、例えば、誤って置かれた証拠品が、発見された場所近くの証拠品に属するのかどうかを決定するのに役立つだろう。本発明の他の実施形態と同様に、証拠品がそのグループに属するかどうかをユーザに示すことができる。
【００２７】
あるグループ内で数件の証拠品の場所を発見するため、ＲＦＩＤリーダにその証拠品を識別する情報を提供し、次にその証拠品を含むと考えられる区域または場所に質問するようにできる。リーダは、そのグループ内で当該証拠品に関連するＲＦＩＤタグに質問したときそれを示し、又質問した証拠品の数を示すことができる。これは例えば、単一の事件に関連する全ての証拠品の場所を発見するため、またはある特定の箱、棚等にある証拠品の在庫を確認するために役立つだろう。本発明の他の実施形態に関係するが、ＲＦＩＤリーダのユーザインタフェースを媒体にして、または他の方法で、発見できなかった証拠品の数はどれくらいあるかも示すことができる。この棚卸機能により、ユーザが定期的な検査を実施できるようにしてもよいし、当該場所にあると思われたがなかった証拠品だけでなく、その場所にないと思われたがあった証拠品も示すこともできる。関心のある区域のいたるところに質問アンテナを配置することにより、また任意のものとして、質問信号を各アンテナに連続的に多重送信することにより、これまでに可能であったよりもずっと少ない時間で完全な棚卸を実施するようにしてもよい。
【００２８】
Ｆ．保管の流れ  本発明の他の態様として、証拠品の保管の流れを追跡することにおける使用がある。ＲＦＩＤタグ付き証拠品をＲＦＩＤライタでプログラミングして、その証拠品を保有する人物を識別する情報を含ませることができる。プログラミングは手動で（自分の情報をＲＦＩＤ装置に入力する人物により）、または自動で（例えば、戸口や仕切り窓のようなポータル周辺のＲＦＩＤアンテナを用いて、人物のＲＦＩＤバッジを証拠品のＲＦＩＤタグと照合することにより）行ってもよい。質問機およびアンテナに関連するポータルはまた、例えば、証拠品保管区域の他の部分から隔離され、小火器や薬物を保管する防護室のような部屋または大きな部屋内のある区域への入口であってもよい。タグもしくはデータベースまたは両者は、現在証拠品を保有している人物を記述する情報を受信すると、そのメモリを点検し、その人物が当該証拠品を保有していたと表示されたなかの最後の人物と違っているかどうかを決定し、もし違っていれば、メモリもしくはデータベースのどちらかまたは両方が適切に更新され得る。他の実施形態においては、ある人物は登録できるか、さもなければ権限を得ることができ、証拠品を入手し、歩いてポータルを通り抜け、そして関連するポータルリーダに、当人（ある種のＲＦＩＤ識別タグを持っている）が証拠品を入手する、またはその特定の証拠品を入手する権限を与えられていると確認させることができる。ある人物を証拠品と照合する情報は、ＲＦＩＤタグ、そのＲＦＩＤタグと関連するデータベース記入事項、または両方に格納することができる。もしメモリがＲＦＩＤタグに格納される場合には、もしその情報がひとたび書込まれると（タグ上に書換え不可メモリ“ＷＯＲＭ”（ｗｒｉｔｅ  ｏｎｃｅ，ｒｅａｄ  ｍａｎｙ）を用いて）変更できなければ、有用だろう。証拠品の保有権限を与えらた人物の所定のリストをデータベースに維持しても良く、そしてＲＦＩＤバッジを付けているが権限のない人物のごく近くでＲＦＩＤタグ付き証拠品を検知したＲＦＩＤリーダは、適切な人物または場所に通知信号を送るようにしてもよい。
【００２９】
Ｇ．場所移動  証拠品の場所の追跡もまた有用だろう。これは、幾つかある方法のうちの１つを用いて実施してもよい。例えば、上述したタイプのポータルリーダを用いて、ＲＦＩＤタグ付き証拠品が移動されたときに情報を入手し、タグ付き証拠品の新しい場所についてタグもしくはデータベース、または両者を更新できる。この情報はまた、保管場所それ自身に関連するリーダのような手持ち式リーダおよびノンポータルリーダを始めとする他のリーダによって入手してもよい。ゴフ（Ｇｏｆｆ）らのＰＣＴ公開ＷＯ００／１０１１２は、この方法で用いられてある特定の場所の全てのタグに定期的にポーリングし、その場所で発見されたタグの、例えばデータベースを更新できる棚テープスタイル・リーダシステムをある実施形態で記載している。
【００３０】
ＲＦＩＤリーダまたは組合せリーダ／ライタを一定の場所または装置と関連付けることもまた有用であろう。その結果、ある一定の場所または装置が証拠品に関して用いられるたびに、その情報が記録される。例えば、もし銃がタグ付けされ、小火器試験所でテストされるならば、その装置と関連するＲＦＩＤライタはＲＦＩＤタグをプログラミングし（またはデータベースレコードを更新し）、例えば、小火器テストの日付、時刻および場所に関する情報、テストを実施する人物、テスト結果、およびテストに関連する他の同様の情報を示すことが可能であろう。これを他の試験所、または他の生物学的テスト（血液またはＤＮＡ等のような）のために行うこともできよう。テストを実施する人物は、保管の流れを目的としたポータルに関して述べた質問のように、バッジ等のＲＦＩＤ質問により識別が可能であろう。
【００３１】
Ｈ．証拠品収集物の移動  証拠品は第１の法執行機関によって収集維持され、続いて訴訟や陳述をさらに遂行するため第２の法執行機関へと移動されるかもしれない。例えば、州または地元の法執行機関が、殺人のような州犯罪に関連すると考えられる一定の証拠品を収集し、後でその犯罪は誘拐や組織的犯罪のような連邦犯罪だと決定するかもしれない。これらや他の状況において、証拠品収集物は、ある法執行機関から他の法執行機関へと移動されるかもしれない。本発明は、第１の法執行機関が上述の方法である特定の事件に関連する証拠品を探索し、その事件に関連するデータベースまたはデータベース記入事項をコンピュータフロッピィディスク、ＣＤまたはＤＶＤのような携帯式データ記憶媒体に取込み、証拠品と一緒にその携帯式データ記憶媒体を第２の法執行機関に送れるようにすることによって、このような移動を簡素化する。あるいは、データベースまたはデータベース記入事項を、ネットワーク、インターネットまたは他の適切な伝送手段により、当該二機関のコンピュータ間で伝送してもよい。第２の法執行機関は、次にそのデータベースを自分のコンピュータシステムにロードし、ＲＦＩＤリーダを用いて移動された証拠品収集物に質問して、全ての証拠品が適切に移動されたと確認するように選択してもよい。もし何かの理由で、データ記憶媒体だけを、例えば他の法執行機関または裁判所に移動することが有益ならば、そのようにすることも可能であろう。データベースの複写コピーを作成し、移動元が移動する証拠品の記録を保有できるようにすることも望ましいだろう。
【国際公開パンフレット】
2004531796.tif 000002
2004531796.tif 000003
2004531796.tif 000004
2004531796.tif 000005
2004531796.tif 000006
2004531796.tif 000007
2004531796.tif 000008
2004531796.tif 000009
2004531796.tif 000010
2004531796.tif 000011
2004531796.tif 000012
2004531796.tif 000013
2004531796.tif 000014
2004531796.tif 000015
2004531796.tif 000016
2004531796.tif 000017
2004531796.tif 000018
2004531796.tif 000019
2004531796.tif 000020
2004531796.tif 000021
2004531796.tif 000022
2004531796.tif 000023
2004531796.tif 000024
2004531796.tif 000025
2004531796.tif 000026
2004531796.tif 000027
2004531796.tif 000028
2004531796.tif 000029
【国際公開パンフレット（コレクトバージョン）】
2004531796.tif 000030